(57)【要約】【課題】図柄表示窓の周囲を被覆するデザインパネルに立体的な装飾を施すことが可能で、斬新で興趣に富んだ視覚効果を与えることのできるスロットマシンを提供する。【解決手段】筐体の前面部に、筐体に内蔵された回転ドラム４の表面に描かれている図柄の一部を表示する図柄表示窓１０を形成し、その図柄表示窓１０の周囲に、前面に装飾９を施したデザインパネル７を設け、前記図柄表示窓１０及びデザインパネル７の前方に、該デザインパネルとの間に間隔を開けて保護用の透明パネル６を設ける。デザインパネル７と透明パネル６との間に形成された空間８に立体的な装飾９を施す。【選択図】図３
0003104736.tif 000002
【実用新案登録請求の範囲】
【請求項１】
筐体に内蔵された回転ドラムの表面に描かれている図柄の一部を表示する図柄表示窓が筐体の前面部に形成され、その図柄表示窓の周囲に前面に装飾を施したデザインパネルが設けられているとともに、前記図柄表示窓及びデザインパネルの前方に該デザインパネルとの間に間隔を開けて保護用の透明パネルが設けられていることを特徴とするスロットマシン。
【請求項２】
デザインパネルの一部に各種演出用の表示装置を組み込み、透明パネル越しに該表示装置の表示画面が見えるようにした請求項１に記載のスロットマシン。
【考案の詳細な説明】
【技術分野】
【０００１】
この考案は、筐体に内蔵された回転ドラムの表面に描かれている図柄の一部が筐体の前面部に形成された図柄表示窓に表示されるスロットマシンに関する。
【背景技術】
【０００２】
上記スロットマシンは、図柄表示窓の前方に回転ドラムを保護するためのアクリル等で成形された透明パネルが取り付けられている。一般的に、この透明パネルは図柄表示窓よりも大きく、図柄表示窓の周囲に対して透明パネルの裏面側に装飾用の図案やゲーム説明のための数字、記号類が表示されたデザインシールが貼り付けられており、デザインシールに描かれた表示部が透けて見えるようになっている。従来、一部の例外（例えば特許文献１）を除き、透明パネルにデザインシールを貼り付けて両者は一体化した構成となっていた。
【特許文献１】特開２００２−３４６１６１号公報
【考案の開示】
【考案が解決しようとする課題】
【０００３】
上記のように一体化した構成であれば、デザインパネル自体に立体的な装飾を施すことができず、装飾表現に限界があった。また、デザインパネルの一部に表示装置として液晶画面等が組み込まれているスロットマシンの場合、液晶画面と透明パネルとが接していると、透明パネルに加わった衝撃で液晶画面が損傷する危険があった。
【０００４】
なお、特許文献１に記載のスロットマシンは、透視窓（図柄表示窓に相当）１４が形成された前面パネル１５０とその前方に設けたカバー部材（透明パネルに相当）１５２との間に少なくとも一部に装飾が施された化粧部材１５３（デザインパネルに相当）を介在させた構成とし、化粧部材１５３を交換することで前面パネル１５０の前面意匠を容易に変更できるようにしたものである。前面パネル１５０とカバー部材１５２とは接していないが、化粧部材１５３とカバー部材１５２とはほぼ接しており、この部分に立体的な装飾を施すことはできない。
【０００５】
本考案は、図柄表示窓の周囲に設けられるデザインパネルに立体的な装飾を施すことが可能で、斬新で興趣に富んだ視覚効果を与えることのできるスロットマシンを提供することを課題としている。
【課題を解決するための手段】
【０００６】
上記課題に対する請求項１に記載のスロットマシンは、筐体に内蔵された回転ドラムの表面に描かれている図柄の一部を表示する図柄表示窓が筐体の前面部に形成され、その図柄表示窓の周囲に前面に装飾を施したデザインパネルが設けられているとともに、前記図柄表示窓及びデザインパネルの前方に該デザインパネルとの間に間隔を開けて保護用の透明パネルが設けられていることを特徴としている。
【０００７】
また、請求項２に記載のスロットマシンは、請求項１の内容に加えて、デザインパネルの一部に各種演出用の表示装置を組み込み、透明パネル越しに該液晶画面が見えるようにした。
【考案の効果】
【０００８】
請求項１又は２の考案によれば、デザインパネルと透明パネルとの間に空間があるので、デザインパネルに立体的な装飾を施す、或いは両パネルの間隔部に立体的な装飾物を介在させることができ、今までにない斬新で興趣に富んだ視覚効果を与えることができる。
【０００９】
また、請求項２の考案によれば、表示装置と透明パネルとが離れているので、透明パネルに衝撃が加わった場合でも表示装置の表示画面が損傷する危険が少ない。
【考案を実施するための最良の形態】
【００１０】
図柄表示窓の周囲に設けられるデザインパネルの一部に液晶画面を組み込み、透明パネル越しに、図柄表示窓に表示される回転ドラムの図柄と液晶画面の両方が見える構成とする。
【実施例１】
【００１１】
図１は本考案を適用したスロットマシンの正面図、図２はその側面図、図３は要部の側面断面図である。このスロットマシン１は、前方に開口する筐体２の前面部に前扉３が開閉可能に取り付けられている。筐体２の内部には、左右並列に３個配置された回転ドラム４，４，４等が設けられている。各回転ドラム４は、外周面に複数の図柄が描かれており、後述する操作により回転及び停止し、各ドラムにつき図柄が３個ずつ後記図柄表示窓１０に表示されるようになっている。
【００１２】
前扉３は前面上半部に開口部５が形成されており、この開口部５に嵌め込んで透明パネル６とデザインパネル７とが取り付けられている。前側の透明パネル６は、アクリル等で成形された無色（若干色がついていてもよい）透明のパネルであって、下端側ほど前方に位置するように若干傾斜している。一方、後側のデザインパネル７は、前面に装飾用の図案やゲーム説明のための数字、記号類が描かれたパネルであって、上下中間部で屈曲していて、上部はほぼ垂直かつ下部は透明パネル６よりも大きく傾斜している。したがって、透明パネル６とデザインパネル７との間に空間８が形成されている。図３に示すように、デザインパネル７の装飾９は、空間８側へ立体的に突出するレリーフ状になっている。
【００１３】
また、図１及び図３に示すように、デザインパネル７は、下部に前記回転ドラム４，４，４に対応して図柄表示窓１０が形成されているとともに、上部に液晶画面取付穴１１が形成されている。そして、その液晶画面取付穴１１に画面部分１２ａを嵌め込んだ状態で、液晶映像装置１２が前扉３に固定して設けられている。上記のようにデザインパネル７が屈曲しているので、遊技中の遊技者の視線に対し図柄表示窓１０及び液晶画面１２ａがほぼ正対するようになっている。
【００１４】
開口部５の下側には、遊技用のメダルを投入するメダル投入口１３、賭けメダル数を設定するベットボタン１４、各回転ドラムを一斉に回転させるスタートレバー１５、各回転ドラムを個別に停止させるストップボタン１６，１６，１６等が設けられている。さらに、その下方の前扉３下端部には、入賞時や清算時に払い出されるメダルを受けるメダル受け皿１７が設けられている。また、開口部５の上側には、各種演出用のスピーカ１８，１８及びランプ１９が設けられている。
【００１５】
メダル投入口１３にメダルを投入し、ベットボタン１４を押すとゲーム可能となる。この状態でスタートレバー１５を操作することにより各回転ドラム４，４，４が一斉に回転し、ストップボタン１６，１６，１６を押すことにより対応する回転ドラム４，４，４の回転が停止する。このとき、図柄表示窓１０に表示される計９個の図柄のうち入賞ライン上に位置する３個の図柄が予め定めた所定の組み合わせで揃うと入賞となり、入賞の種類に応じた枚数の遊技メダルがメダル受け皿１７に払い出される。
【００１６】
このようなゲームの過程で、液晶画面１２ａ、スピーカ１８，１８及びランプ１９により、ゲーム状況に応じた各種演出を行う。中でも、液晶画面１２ａによる演出はゲームの成り行きに重要な意味があり、遊技者は液晶画面１２ａによる演出を注目しているが、図柄表示窓１０や液晶画面１２ａの周囲のデザインパネル７も遊技者の視界に入っている。このデザインパネル７の装飾９を立体的に施すことにより、ゲームのテーマに合わせた多様な表現や遊技者を飽きさせない刺激的な表現が可能である。さらに、透明パネル６とデザインパネル７との間に空間８を形成することにより、透明パネル６に衝撃が加えられた場合に液晶画面１２ａが損傷する危険を抑えることができる。
【実施例２】
【００１７】
図４は、透明パネル６とデザインパネル７との間の空間８に立体的な装飾物２０を設けた実施例を表している。このように立体的な装飾物２０を設けると、実施例１のレリーフ状の装飾９より立体感を強調することができる。ゲーム状況に応じて装飾物２０が動くようにしてもよい。
【産業上の利用可能性】
【００１８】
この考案に採用されている透明パネルとデザインパネルとを組み合わせた構成は、スロットマシン以外のゲーム機にも適用できる。
【図面の簡単な説明】
【００１９】
【図１】スロットマシンの正面図である。
【図２】スロットマシンの側面図である。
【図３】スロットマシンの要部の側面断面である。（実施例１）
【図４】スロットマシンの要部の側面断面である。（実施例２）
【符号の説明】
【００２０】
１  スロットマシン
２  筐体
３  前扉
４  回転ドラム
６  透明パネル
７  デザインパネル
８  空間
９  装飾
１０  図柄表示窓
１２ａ  液晶画面
２０  装飾物
【図１】
0003104736.tif 000003
【図２】
0003104736.tif 000004
【図３】
0003104736.tif 000005
【図４】
0003104736.tif 000006